【事件の表示】
　特願２０１１−５０７６６７「メタクリル酸の産生のための微生物」拒絶査定不服審判事件〔平成２１年１１月　５日国際公開、ＷＯ２００９／１３５０７４、平成２３年　７月１４日国内公表、特表２０１１−５１９５６１〕について、次のとおり審決する。
【結　論】
　本件審判の請求は、成り立たない。
【理　由】
第１　手続の経緯
　この出願は、平成２１年（２００９年）４月３０日（パリ条約による優先権主張外国庁受理２００８年５月１日、米国）を国際出願日とする出願であって，以降の手続の経緯は以下のとおりのものである。
　
　平成２５年１１月２５日付け　拒絶理由通知書
　平成２６年　５月２７日　　　意見書・手続補正書
　平成２６年１１月２８日付け　拒絶査定
　平成２７年　４月　２日　　　審判請求書・手続補正書
　平成２７年　５月１４日　　　手続補正書（請求の理由の補充）
　
第２　本願発明の認定
　この出願の請求項１〜１４に係る発明は、平成２７年４月２日付け手続補正書の特許請求の範囲の請求項１〜１４に記載された事項により特定されるとおりのものと認められ、その請求項１、５に係る発明（以下、それぞれ、「本願発明１」、「本願発明５」という。）は、次のとおりである。
　
【請求項１】
　天然に存在しない微生物体であって、メタクリル酸を生成するのに十分な量で発現されるメタクリル酸経路の酵素（単数または複数）をコードする少なくとも１つの外因性核酸を含む、メタクリル酸経路を有する微生物体を含み、前記メタクリル酸経路が、
　３−ヒドロキシイソブチレートをメタクリル酸に変換するための３−ヒドロキシイソ酪酸デヒドラターゼ；
　４−ヒドロキシブチリル−ＣｏＡを３−ヒドロキシブチリル−ＣｏＡに変換するための４−ヒドロキシブチリルＣｏＡムターゼ、３−ヒドロキシブチリル−ＣｏＡを３−ヒドロキシイトブチレートに変換するための３−ヒドロキシイソブチリルＣｏＡシンテターゼまたは３−ヒドロキシイソブチリルＣｏＡヒドロラーゼまたは３−ヒドロキシイソブチリルＣｏＡトランスフェラーゼ、および３−ヒドロキシイトブチレートをメタクリル酸に変換するための３−ヒドロキシイソ酪酸デヒドラターゼ；
　スクシニル−ＣｏＡをメチルマロニル−ＣｏＡに変換するためのメチルマロニルＣｏＡムターゼ、メチルマロニル−ＣｏＡをメチルマロネートセミアルデヒドに変換するためのメチルマロニルＣｏＡレダクターゼ、メチルマロネートセミアルデヒドを３−ヒドロキシイソブチレートに変換するための３−ヒドロキシイソ酪酸デヒドロゲナーゼ、および３−ヒドロキシイソブチレートをメタクリル酸に変換するための３−ヒドロキシイソ酪酸デヒドラターゼ；
　スクシニル−ＣｏＡを（Ｒ）−メチルマロニル−ＣｏＡに変換するためのメチルマロニルＣｏＡムターゼ、（Ｒ）−メチルマロニル−ＣｏＡを（Ｓ）−メチルマロニル−ＣｏＡに変換するためのメチルマロニルＣｏＡエピメラーゼ、（Ｓ）−メチルマロニル−ＣｏＡをメチルマロネートセミアルデヒドに変換するためのメチルマロニルＣｏＡレダクターゼ、メチルマロネートセミアルデヒドを３−ヒドロキシイソブチレートに変換するための３−ヒドロキシイソ酪酸デヒドロゲナーゼ、および３−ヒドロキシイソブチレートをメタクリル酸に変換するための３−ヒドロキシイソ酪酸デヒドラターゼ；
　スクシニル−ＣｏＡをメチルマロニル−ＣｏＡに変換するためのメチルマロニルＣｏＡムターゼ、メチルマロニル−ＣｏＡを３−ヒドロキシイソブチレートに変換するためのアルコール／アルデヒドデヒドロゲナーゼ、および３−ヒドロキシイソブチレートをメタクリル酸に変換するための３−ヒドロキシイソ酪酸デヒドラターゼ；
　スクシニル−ＣｏＡを（Ｒ）−メチルマロニル−ＣｏＡに変換するためのメチルマロニルＣｏＡムターゼ、（Ｒ）−メチルマロニル−ＣｏＡを（Ｓ）−メチルマロニル−ＣｏＡに変換するためのメチルマロニルＣｏＡエピメラーゼ、（Ｓ）−メチルマロニル−ＣｏＡをヒドロキシブチレートに変換するためのアルコール／アルデヒドデヒドロゲナーゼ、および３−ヒドロキシイソブチレートをメタクリル酸に変換するための３−ヒドロキシイソ酪酸デヒドラターゼ
　スクシニル−ＣｏＡをメチルマロニル−ＣｏＡに変換するためのメチルマロニルＣｏＡムターゼ、メチルマロニル−ＣｏＡをメチルマロネートセミアルデヒドに変換するためのメチルマロニルＣｏＡレダクターゼ、メチルマロネートセミアルデヒドを３−アミノ−２−メチルプロピオネートに変換するための３−アミノ−２−メチルプロピオン酸トランスアミナーゼ、および３−アミノ−２‐メチルプロピオネートをメタクリル酸に変換するための３−アミノ−２−メチルプロピオン酸アンモニアリアーゼ；
　スクシニル−ＣｏＡを（Ｒ）−メチルマロニル−ＣｏＡに変換するためのメチルマロニルＣｏＡムターゼ、（Ｒ）−メチルマロニル−ＣｏＡを（Ｓ）−メチルマロニル−ＣｏＡに変換するためのメチルマロニルＣｏＡエピメラーゼ、（Ｓ）−メチルマロニル−ＣｏＡをメチルマロネートセミアルデヒドに変換するためのメチルマロニルＣｏＡレダクターゼ、メチルマロネートセミアルデヒドを３−アミノ−２‐メチルプロピオネートに変換するための３−アミノ−２−メチルプロピオン酸トランスアミナーゼ、および３−アミノ−２‐メチルプロピオネートをメタクリル酸に変換するための３−アミノ−２−メチルプロピオン酸アンモニアリアーゼ；
　アルファ−ケトグルタレートをグルタメートに変換するためのアスパラギン酸アミノトランスフェラーゼ、グルタメートをトレオ−３−メチルアスパルテートに変換するためのグルタミン酸ムターゼ、トレオ−３−メチルアスパルテートをメサコネートに変換するための３−メチルアスパルターゼ、およびメサコネートをメタクリル酸に変換するためのメサコン酸デカルボキシラーゼ；
　アルファ−ケトグルタレートを２−ヒドロキシグルタレートに変換するためのアルファ−ケトグルタル酸レダクターゼ、２−ヒドロキシグルタレートを３−メチルマレートに変換するための２−ヒドロキシグルタミン酸ムターゼ、３−メチルマレートをメサコネートに変換するための３−メチルリンゴ酸デヒドラターゼ、およびメサコネートをメタクリル酸に変換するためのメサコン酸デカルボキシラーゼ；
　アセチルーＣｏＡをアセトアセチル−ＣｏＡに変換するためのアセトアセチルＣｏＡチオラーゼ、アセトアセチル−ＣｏＡを３−ヒドロキシブチリル−ＣｏＡに変換するためのアセトアセチルＣｏＡレダクターゼ、３−ヒドロキシブチリル−ＣｏＡを２−ヒドロキシイソブチリル−ＣｏＡに変換するための３−ヒドロキシブチリルＣｏＡムターゼ、２−ヒドロキシイソブチリル−ＣｏＡをメタクリリル−ＣｏＡに変換するための２−ヒドロキシイソブチリルＣｏＡデヒドラターゼ、およびメタクリリル−ＣｏＡをメタクリル酸に変換するためのメタクリリルＣｏＡトランスフェラーゼまたはメタクリリルＣｏＡヒドロラーゼまたはメタクリリルＣｏＡシンテターゼ；
　アセチルーＣｏＡをアセトアセチル−ＣｏＡに変換するためのアセトアセチルＣｏＡチオラーゼ、アセトアセチル−ＣｏＡを３−ヒドロキシブチリル−ＣｏＡに変換するためのアセトアセチルＣｏＡレダクターゼ、３−ヒドロキシブチリル−ＣｏＡを２−ヒドロキシイソブチリル−ＣｏＡに変換するための３−ヒドロキシブチリルＣｏＡムターゼ、２−ヒドロキシイソブチリル−ＣｏＡをメタクリリル−ＣｏＡに変換するための２−ヒドロキシイソブチリルＣｏＡデヒドラターゼ、メタクリリル−ＣｏＡを３−ヒドロキシイソブチリルーＣｏＡに変換するためのエノイルＣｏＡヒドラターゼ、および３−ヒドロキシイソブチリルーＣｏＡをメタクリル酸に変換するための３−ヒドロキシイソブチリルＣｏＡヒドロラーゼまたは３−ヒドロキシイソブチリルＣｏＡシンテターゼまたは３−ヒドロキシイソブチリルＣｏＡトランスフェラーゼ、および３−ヒドロキシイソ酪酸デヒドラターゼ；
　４−ヒドロキシイソブチリル−ＣｏＡをビニルアセチル−ＣｏＡに変換するための４−ヒドロキシブチリルＣｏＡデヒドラターゼ、ビニルアセチル−ＣｏＡをクロトニル−ＣｏＡに変換するためのビニルアセチルＣｏＡ　Δ−イソメラーゼ、クロトニル−ＣｏＡを３−ヒドロキシブチリル−ＣｏＡに変換するためのクロトナーゼ、３−ヒドロキシブチリル−ＣｏＡを２−ヒドロキシイソブチリルーＣｏＡに変換するための３−ヒドロキシブチリルＣｏＡムターゼ、２−ヒドロキシイソブチリルーＣｏＡをメタクリリル−ＣｏＡに変換するための２−ヒドロキシイソブチリルＣｏＡデヒドラターゼ、およびメタクリリル−ＣｏＡをメタクリル酸に変換するためのメタクリリルＣｏＡヒドロラーゼまたはメタクリリルＣｏＡシンテターゼまたはメタクリリルＣｏＡトランスフェラーゼのうちのいずれか；
　４−ヒドロキシブチリル−ＣｏＡを３−ヒドロキシブチリル−ＣｏＡに変換するための４−ヒドロキシブチリルＣｏＡムターゼ、３−ヒドロキシブチリル−ＣｏＡをメタクリリル−ＣｏＡに変換するための３−ヒドロキシイソブチリルＣｏＡデヒドラターゼ、およびメタクリリル−ＣｏＡをメタクリル酸に変換するためのメタクリリルＣｏＡシンテターゼまたはメタクリリルＣｏＡヒドロラーゼまたはメタクリリルＣｏＡトランスフェラーゼ；
　アセチルーＣｏＡをアセトアセチル−ＣｏＡに変換するためのアセトアセチルＣｏＡチオラーゼ、アセトアセチル−ＣｏＡを３−ヒドロキシブチリル−ＣｏＡに変換するためのアセトアセチルＣｏＡレダクターゼ、３−ヒドロキシブチリル−ＣｏＡをクロトニル−ＣｏＡに変換するためのクロトナーゼ、クロトニル−ＣｏＡをブチリル−ＣｏＡに変換するためのブチリルＣｏＡデヒドロゲナーゼ、ブチリル−ＣｏＡをイソブチリル−ＣｏＡに変換するためのイソブチリルＣｏＡムターゼ、イソブチリル−ＣｏＡをメタクリル−ＣｏＡに変換するためのイソブチリルＣｏＡデヒドロゲナーゼ、およびメタクリル−ＣｏＡをメタクリル酸に変換するためのメタクリリルＣｏＡシンテターゼまたはメタクリリルＣｏＡヒドロラーゼまたはメタクリリルＣｏＡトランスフェラーゼ；
　ピルベートをラクテートに変換するための乳酸デヒドロゲナーゼ、ラクテートをラクトイル−ＣｏＡに変換するためのラクテートＣｏＡトランスフェラーゼ、ラクトイル−ＣｏＡをアクリリルーＣｏＡに変換するためのラクトイルＣｏＡデヒドラターゼ、アクリリルーＣｏＡをプロピオニル−ＣｏＡに変換するためのアシルＣｏＡデヒドロゲナーゼ、プロピオニル−ＣｏＡを（Ｓ）−メチルマロニル−ＣｏＡに変換するためのプロピオニルＣｏＡカルボキシラーゼ、ならびに（Ｓ）−メチルマロニル−ＣｏＡをメタクリル酸に変換するための、メチルマロニルＣｏＡレダクターゼ、３−ヒドロキシイソ酪酸デヒドロゲナーゼ、および３−ヒドロキシイソ酪酸デヒドラターゼ；ならびに
　バリンを２−ケトイソバレレートに変換するためのバリンアミノトランスフェラーゼ、２−ケトイソバレレートをイソブチリルーＣｏＡに変換するための２−ケトイソ吉草酸デヒドロゲナーゼ、イソブチリルーＣｏＡをメタクリリル−ＣｏＡに変換するためのイソブチリルＣｏＡデヒドロゲナーゼ、およびメタクリリル−ＣｏＡをメタクリル酸に変換するためのメタクリリルＣｏＡシンテターゼまたはメタクリリルＣｏＡヒドロラーゼまたはメタクリリルＣｏＡトランスフェラーゼ
を含むメタクリル酸経路から選択される、微生物体。
　
【請求項５】
　天然に存在しない微生物体であって、１つまたは複数の遺伝子破壊を含み、前記１つまたは複数の遺伝子破壊が前記生物体における３−ヒドロキシイソ酪酸またはメタクリル酸の生成を増加させ、前記破壊された遺伝子が、表１０または１１に列挙したタンパク質または酵素をコードする遺伝子であり、そして、表１０または１１に列挙したタンパク質または酵素の略称は、表１２において定義される微生物体。
第３　原査定における拒絶の理由の概要
　原査定の拒絶の理由は、本願の発明の詳細な説明は、本願請求項１〜１４に記載された発明を当業者がその実施をすることができる程度に明確かつ十分に記載されておらず、この出願は、特許法第３６条第４項第１号に規定する要件を満たしていない、及び、本願請求項１〜１４に記載された発明は、本願の発明の詳細な説明に記載されたものでなく、この出願は、特許法第３６条第６項第１号に規定する要件を満たしていない、というものである。
第４　当審の判断
１．特許法第３６条第６項第１号について
（１）本願発明１について
ア．本願明細書の記載
　本願明細書には、本願発明１に関して以下の事項が記載されている。
（ア）「【発明が解決しようとする課題】
【００１０】
  したがって、商業的な量のメタクリル酸、２−ヒドロキシイソブチレートまたは３−ヒドロキシイソブチレートなどの化合物を有効に生成する代替方法の必要性が存在する。本発明はこの必要性を満たし、関連する利点も提供する。」
（イ）「【０１６３】
  （実施例ＩＩ）
  ３−ヒドロキシイソブチレートを介したＭＡＡへのスクシニルＣｏＡの転換のための経路を有するＭＡＡ生成微生物体の調製
  この実施例は、３−ヒドロキシイソブチレートを介してスクシニルＣｏＡからＭＡＡを生成することができる微生物体の作製を記載する。
【０１６４】
  Ｅｓｃｈｅｒｉｃｈｉａ  ｃｏｌｉは、図２中に示すＭＡＡ経路を工学的に操作するための標的生物体として使用する。・・・」
（ウ）「【０１７８】
  （実施例ＩＶ）
  ３−アミノ−２−メチルプロパノエートを介したＭＡＡへのスクシニルＣｏＡの転換のための経路を有するＭＡＡ生成微生物体の調製
  この実施例は、３−アミノ−２−メチルプロパノエートを介してスクシニルＣｏＡからＭＡＡを生成することができる微生物体の作製を記載する。
【０１７９】
  Ｅｓｃｈｅｒｉｃｈｉａ  ｃｏｌｉは、図４中に示すＭＡＡ経路を工学的に操作するための標的生物体として使用する。・・・」
（エ）「【０２００】
  （実施例ＶＩ）
  ＭＡＡへの４−ヒドロキシブチリルＣｏＡの転換のための経路を有するＭＡＡ生成微生物体の調製
  この実施例は、４−ヒドロキシブチリルＣｏＡからＭＡＡを生成することができる微生物体の作製を記載する。
【０２０１】
  Ｅｓｃｈｅｒｉｃｈｉａ  ｃｏｌｉは、図６中に示すＭＡＡ経路を工学的に操作するための標的生物体として使用する。・・・」
（オ）「【０２１７】
  （実施例ＶＩＩＩ）
  トレオ−３−メチルアスパルテートを介したＭＡＡへのアルファ−ケトグルタレートの転換のための経路を有するＭＡＡ生成微生物体の調製
  この実施例は、トレオ−３−メチルアスパルテートを介してアルファ−ケトグルタレートからＭＡＡを生成することができる微生物体の作製を記載する。
【０２１８】
  Ｅｓｃｈｅｒｉｃｈｉａ  ｃｏｌｉは、図８中に示すＭＡＡ経路を工学的に操作するための標的生物体として使用する。・・・」
（カ）「【０２３３】
  （実施例Ｘ）
  ２−ヒドロキシグルタレートを介してアルファ−ケトグルタレートをＭＡＡに転換するための経路を有するＭＡＡ生成微生物体の調製
  この実施例は、２−ヒドロキシグルタレートを介してアルファ−ケトグルタレートからＭＡＡを生成することができる微生物体の作製を記載する。
【０２３４】
  Ｅｓｃｈｅｒｉｃｈｉａ  ｃｏｌｉは、図１０中に示すＭＡＡ経路を工学的に操作するための標的生物体として使用する。・・・」
（キ）「【０２５３】
  （実施例ＸＩＩ）
  ＭＡＡへのアセチルＣｏＡの転換のための経路を有するＭＡＡ生成微生物体の調製
  この実施例は、アセチルＣｏＡからＭＡＡを生成することができる微生物体の作製を記載する。
【０２５４】
  Ｅｓｃｈｅｒｉｃｈｉａ  ｃｏｌｉは、図１２中に示すＭＡＡ経路を工学的に操作するための標的生物体として使用する。・・・」
（ク）「【０２６１】
  （実施例ＸＩＩＩ）
  クロトノイルＣｏＡを介したＭＡＡへのアセチルＣｏＡの転換のための経路
  この実施例は、クロトノイルＣｏＡを介したアセチルＣｏＡからの例示的なＭＡＡの合成経路を記載する。
【０２６２】
  少なくとも７つの酵素ステップでＭＡＡにアセチルＣｏＡを転換するための別の経路を記載する（図１３参照）。・・・」
（ケ）「【０２６５】
  （実施例ＸＩＶ）
  ＭＡＡへのアクリリルＣｏＡの転換のための経路
  この実施例は、アクリリルＣｏＡからの例示的なＭＡＡの合成経路を記載する。
【０２６６】
  高収率のＭＡＡはアクリリルＣｏＡ経路によって得ることができる（図１４参照）。・・・」
（コ）「【０２７１】
  （実施例ＸＶ）
  ＭＡＡへの２−ケトイソバレレートの転換のための経路
  この実施例は、２−ケトイソバレレートからの例示的なＭＡＡの合成経路を記載する。
【０２７２】
  この経路では、２−ケトイソバレレート、バリン生合成の前駆体を介してＭＭＡの生合成が起こる（図１５参照）。・・・」
（サ）「 【０２９１】
（実施例ＸＶＩＩＩ）
  ２−ヒドロキシイソブチリルＣｏＡを介した２−ヒドロキシイソブチレートまたはＭＡＡへの４−ヒドロキシブチリルＣｏＡの転換のための経路
  この実施例は、２−ヒドロキシイソブチリルＣｏＡを介して進行する４−ヒドロキシブチリルＣｏＡから始まる、例示的な２−ヒドロキシイソ酪酸またはＭＡＡの合成経路を記載する。図１２中に示す経路は嫌気的条件下でも高収率であり、２−ヒドロキシイソ酪酸またはＭＡＡの最大理論収率はグルコース１モル当たり１．３３モルである。・・・」
（シ）「【０２９６】
  （実施例ＸＩＸ）
  ２−ヒドロキシイソブチリルＣｏＡを介したＭＡＡへの４−ヒドロキシブチリルＣｏＡの転換のための経路を有するＭＡＡ生成微生物体の調製
  この実施例は、２−ヒドロキシイソブチリルＣｏＡを介して４−ヒドロキシブチリルＣｏＡからＭＡＡを生成することができる微生物体の作製を記載する。
【０２９７】
  Ｅｓｃｈｅｒｉｃｈｉａ  ｃｏｌｉは、４−ヒドロキシブチリルＣｏＡから始まる、図１２中に示すＭＡＡ経路を工学的に操作するための標的生物体として使用する。・・・」
（ス）「
」
（セ）「
」
（ソ）「
」
（タ）「
」
（チ）「
」
（ツ）「
」
（テ）「
」
（ト）「
」
（ナ）「
」
イ．判断
　請求項１、第４　１．（１）ア．（ア）等の記載からみて、本願発明１の課題は、商業的な量のメタクリル酸を有効に生成する代替方法を提供することにあると認められる。
　一方、本願明細書には、第４　１．（１）ア．（イ）〜（ナ）に記載したとおり、様々な酵素を含むメタクリル酸経路の酵素をコードする外因性核酸を導入して微生物を作成する方法が例示されており、これらの方法で作成された微生物を用いてメタクリル酸の産生を行うことができると記載されてはいるものの、これらの酵素をコードする外因性核酸を導入した微生物を実際に作成し、作成された該微生物を用いてメタクリル酸の産生を行ったことについては、具体的に示されていない。
　本願出願時、微生物における物質の代謝は、ある基質からある生成物までの代謝経路が単独で独立して存在するものではなく、複数の代謝経路が絡み合った複雑なものであることは広く知られていた。したがって、特定の代謝経路に含まれる酵素をコードする遺伝子を微生物において発現させたとしても、必ずしも十分な量の目的物質を生成させることができるとは限らないことは、本願出願時、技術常識であったと認められる。
　そうすると、本願明細書において、請求項１に記載されたメタクリル酸経路に含まれる酵素をコードする遺伝子を微生物において発現させ、メタクリル酸を得たことが具体的に示されていない以上、請求項１に記載されたメタクリル酸経路に含まれる酵素をコードする遺伝子を微生物において発現させることにより、商業的に十分な量のメタクリル酸を生成させることができると当業者が認識できるものとは認められない。
　したがって、本願発明１は、発明の詳細な説明において発明の課題が解決できることを当業者が認識できるように記載された範囲を超えるものであるといえる。
ウ．審判請求人の主張に対して
　審判請求人は、平成２７年５月１４日付け手続補正書において、提示した甲第１〜９号証により、少なくとも３−ヒドロキシイソ酪酸デヒドラターゼを含む経路を有し、かつメタクリル酸を生産することができる微生物が支持されていると主張している。
　しかしながら、甲第１〜９号証には、微生物における特定の代謝経路や酵素等が記載されているに過ぎず、本願の請求項１に記載されたメタクリル酸経路に含まれる酵素をコードする遺伝子を微生物において発現させることにより、十分な量のメタクリル酸が得られることを具体的に示す記載は存在しない。
　したがって、本願の請求項１に記載されたメタクリル酸経路に含まれる酵素をコードする遺伝子を発現させた微生物を用いることにより、メタクリル酸を商業的に十分な量生成させることができるかどうかは、依然として不明である。
　よって、上記請求人の主張は採用できない。
（２）本願発明５について
ア．本願明細書の記載
　本願明細書には、本願発明５に関して、第４　１．（１）ア．（ア）に記載した事項の他、以下の事項が記載されている。
（ニ）「【０３１６】
・・・スクシニルＣｏＡ：ＭＡＡ経路（図２）および４−ＨＢ−ＣｏＡ：ＭＡＡ経路（図６）に関する増殖連結型生成設計の完全なセットは、それぞれ表１０および１１中に列挙する。表１０および１１は、スクシニルＣｏＡ（表１０）または４−ヒドロキシブチリルＣｏＡ（表１１）中間体を介したＭＡＡまたは３−ヒドロキシイソ酪酸の生成を高めるために、ＯｐｔＫｎｏｃｋによる除去の標的となる反応の組合せを示す。・・・」
（ヌ）「【０３６０】
」
イ．判断
　請求項５、第４　１．（１）ア．（ア）等の記載からみて、本願発明５の課題は、商業的な量のメタクリル酸または３−ヒドロキシイソ酪酸を有効に生成する代替方法を提供することにあると認められる。
　一方、本願明細書には、第４　１．（２）ア．（ニ）〜（ヌ）に記載したとおり、微生物において破壊する対象とされる様々な酵素をコードする遺伝子が例示されており、これらの遺伝子を破壊した微生物においては、メタクリル酸または３−ヒドロキシイソ酪酸の生成が増加すると記載されてはいるものの、これらの酵素をコードする遺伝子を破壊した微生物を実際に作成し、該微生物において、メタクリル酸または３−ヒドロキシイソ酪酸の生成量が増加していることを確認したことについては、具体的に示されていない。
　本願出願時、微生物の種類が異なると、物質代謝経路や、代謝経路に関与する酵素が異なる場合があることは、技術常識であった。また、微生物における物質の代謝は、ある基質からある生成物までの代謝経路が単独で独立して存在するものではなく、複数の代謝経路が絡み合った複雑なものであるため、特定の酵素をコードする遺伝子を破壊したとしても、必ずしも目的物質の生成量が増加するとは限らないことも、本願出願時、技術常識であったと認められる。
　そうすると、本願明細書において、表１０または１１に列挙されたタンパク質または酵素をコードする遺伝子を破壊した微生物を作成し、該微生物において、メタクリル酸または３−ヒドロキシイソ酪酸の生成量が増加していることが具体的に示されていない以上、表１０または１１に列挙されたタンパク質または酵素をコードする遺伝子を破壊した微生物を用いることにより、十分な量のメタクリル酸を生成させることができると当業者が認識できるものとは認められない。
　したがって、本願発明５は、発明の詳細な説明において発明の課題が解決できることを当業者が認識できるように記載された範囲を超えるものであるといえる。
ウ．審判請求人の主張に対して
　審判請求人は、平成２７年５月１４日付け手続補正書において、提示した甲第１〜９号証により、メタクリル酸または３−ヒドロキシイソ酪酸を生産することができる微生物が支持されていると主張している。
　しかしながら、甲第１〜９号証には、微生物における特定の代謝経路や酵素等が記載されているに過ぎず、表１０または１１に列挙されたタンパク質または酵素をコードする遺伝子を破壊した微生物において、メタクリル酸または３−ヒドロキシイソ酪酸の生成量が増加していることを具体的に示す記載は存在しない。
　したがって、表１０または１１に列挙されたタンパク質または酵素をコードする遺伝子を破壊した微生物において、メタクリル酸または３−ヒドロキシイソ酪酸の生成量が増加しているかどうかは、依然として不明である。
　よって、上記請求人の主張は採用できない。
（３）小括
　したがって、特許請求の範囲の記載は、特許法第３６条第６項第１号に規定する要件を満たしていない。
２．特許法第３６条第４項第１号について
（１）本願発明５について
ア．本願明細書の記載
　本願明細書には、本願発明５に関して、第４　１．（１）ア．（ア）に記載した事項、および、第４　１．（２）ア．（ニ）〜（ヌ）に記載した事項が記載されている。
イ．判断
　本願明細書には、第４　１．（２）ア．（ニ）〜（ヌ）に記載したとおり、微生物において破壊する対象とされる様々な酵素をコードする遺伝子が例示されているに過ぎず、これらの酵素をコードする遺伝子を実際に破壊した微生物を作成し、該微生物において、メタクリル酸または３−ヒドロキシイソ酪酸の生成量が増加していることを確認したことについては、具体的に示されていない。
　本願出願時、微生物の種類が異なると、物質代謝経路や、代謝経路に関与する酵素が異なる場合があることは、技術常識であった。また、微生物における物質の代謝は、ある基質からある生成物までの代謝経路が単独で独立して存在するものではなく、複数の代謝経路が絡み合った複雑なものであるため、特定の酵素をコードする遺伝子を破壊したとしても、必ずしも目的物質の生成量が増加するとは限らないことも、本願出願時、技術常識であったと認められる。
　そうすると、表１０または１１に列挙されたタンパク質または酵素をコードする遺伝子を破壊した様々な種類の多数の微生物中には、メタクリル酸または３−ヒドロキシイソ酪酸の生成量が増加していない微生物も含まれていると認められるが、上記多数の微生物中から、目的とする「メタクリル酸または３−ヒドロキシイソ酪酸の生成量が増加した微生物」を選択するためには、当業者に期待しうる程度を超える試行錯誤や複雑高度な実験等を行うことを必要とするものであると認められる。
　したがって、本願発明５について、本願の発明の詳細な説明は、当業者がその実施をすることができる程度に明確かつ十分に記載されているとは認められない。
ウ．審判請求人の主張に対して
　審判請求人は、平成２７年５月１４日付け手続補正書において、提示した甲第１〜９号証により、メタクリル酸または３−ヒドロキシイソ酪酸を生産することができる微生物が支持されていると主張している。
　しかしながら、甲第１〜９号証には、メタクリル酸または３−ヒドロキシイソ酪酸の生成量が増加していない微生物も含む、表１０または１１に列挙されたタンパク質または酵素をコードする遺伝子を破壊した様々な種類の多数の微生物中から、目的とする「メタクリル酸または３−ヒドロキシイソ酪酸の生成量が増加した微生物」を当業者が容易に選択することができることを示す具体的な記載は存在しない。
　よって、上記請求人の主張は採用できない。
（２）小括
　したがって、発明の詳細な説明の記載は、特許法第３６条第４項第１号に規定する要件を満たしていない。
第５　むすび
　以上のとおり、本願請求項１、５に記載の発明について、本願は、特許法第３６条第６項第１号に規定する要件を満たしておらず、特許を受けることができないものであり、また、本願請求項５に記載の発明について、本願は、特許法第３６条第４項第１号に規定する要件を満たしておらず、特許を受けることができないものであるから、他の請求項に係る発明について言及するまでもなく、本願は拒絶をすべきものである。
　よって、結論のとおり審決する。